(57)【要約】【課題】おむつを常時使用する寝たきりの高齢者に対して、臀部等体圧がかかる部分に載置して、体圧による圧迫を緩和することによって、褥瘡を適切に予防することができ、かつ、液体の肌への逆戻りを効果的に防止する、柔軟性及び弾力性に優れた、簡易な構成である褥瘡予防用の使い捨て補助パッドを提供する。【解決手段】液透過性のトップシートと、液透過性のバックシートと、トップシート及びバックシートの間に配置される中間層と、を有し、トップシートと中間層の間に第１開孔フィルムが配置され、バックシートと中間層の間に第２開孔フィルムが配置され、さらに、圧力特性を所定の範囲内とした、褥瘡予防用の使い捨て補助パッドを提供する。【選択図】図１
2020065853.tif 000002
【特許請求の範囲】
【請求項１】
液透過性のトップシートと、液透過性のバックシートと、前記トップシート及び前記バックシートの間に配置される中間層とを有し、
前記トップシートと前記中間層の間に第１開孔フィルムが配置され、前記バックシートと前記中間層の間に第２開孔フィルムが配置された、褥瘡予防用の使い捨て補助パッドであって、
前記中間層は、トウからなる繊維集合体を含有し、
前記トウからなる繊維集合体の坪量は、２０ｇ／ｍ２以上１００ｇ／ｍ２以下であり、
前記褥瘡予防用の使い捨て補助パッドの、ハンディ圧縮試験機ＫＥＳ−Ｇ５（カトーテック株式会社製）による、圧縮硬さＬＣが４.０以上８.０以下であり、圧縮仕事量ＷＣが１２０ｇｆ・ｃｍ／ｃｍ２以上２００ｇｆ・ｃｍ／ｃｍ２以下であり、圧縮率が１５％以上３５％以下であり、かつ、圧縮回復性ＲＣが３０％以上７０％以下であることを特徴とする、褥瘡予防用の使い捨て補助パッド。
【請求項２】
前記第１開孔フィルム及び前記第２開孔フィルムはいずれも、厚み方向で一方の面の開孔径が小さく、他方の面の開孔径が大きい開孔が施され、
前記第１開孔フィルムは、開孔径の大きい側の開孔が前記トップシート側を向くように配置され、前記第２開孔フィルムは、開孔径の小さい側の開孔が前記バックシート側を向くように配置されていることを特徴とする、請求項１に記載の褥瘡予防用の使い捨て補助パッド。
【請求項３】
前記第１開孔フィルム及び前記第２開孔フィルムはいずれも、開孔径が０．３ｍｍ以上１．５ｍｍ以下であり、開孔の数が５０個／ｃｍ２以上であることを特徴とする、請求項１又は２に記載の褥瘡予防用の使い捨て補助パッド。
【請求項４】
前記第１開孔フィルム及び前記第２開孔フィルムはいずれも、前記開孔径が大きい一方の面の開孔径と、前記開孔径が小さい他方の面の開孔径の差が、０．０３ｍｍ以上０．１５ｍｍ以下であることを特徴とする、請求項１から３のいずれか１項に記載の褥瘡予防用の使い捨て補助パッド。
【請求項５】
前記トウからなる繊維集合体の構成繊維が、セルロースアセテートの繊維であることを特徴とする、請求項１から４のいずれか１項に記載の褥瘡予防用の使い捨て補助パッド。
【請求項６】
前記トップシート及び前記バックシートが、親水性サーマルボンド不織布又は親水性スパンボンド不織布であることを特徴とする、請求項１から５のいずれか１項に記載の褥瘡予防用の使い捨て補助パッド。
【請求項７】
前記中間層は、さらに、高吸収性ポリマーを含有し、
前記高吸収性ポリマーの坪量は、前記トウからなる繊維集合体の坪量に対して、１．０倍以下であり、
前記高吸収性ポリマーの、前記トウからなる繊維集合体への担持率は、７０％以上であることを特徴とする、請求項１から６のいずれか１項に記載の褥瘡予防用の使い捨て補助パッド。
【請求項８】
前記中間層において、前記トウからなる繊維集合体及び前記高吸収性ポリマーがほぼ均一に混合されていることを特徴とする、請求項７に記載の褥瘡予防用の使い捨て補助パッド。
【発明の詳細な説明】
【技術分野】
【０００１】
本発明は、褥瘡予防用の使い捨て補助パッドに関する。
【背景技術】
【０００２】
褥瘡は、高齢者が寝たきりなどによって、体重で圧迫されている場所の血流が悪くなったり滞ることで、皮膚の一部が赤い色味をおびたり、ただれたり、傷ができてしまうことである。
【０００３】
通常、寝ているときは寝返りを打ち、長時間椅子に座っているときはお尻を浮かせるなどして、同じ部位に長い時間の圧迫が加わらないよう、「体位変換」を行っている。しかし、自分で体位変換できない高齢者は、体重で長い時間圧迫された皮膚の細胞に十分な酸素や栄養が行き渡らなくなり、これにより「褥瘡」が発生してしまう。また、重症時には、皮膚の表面だけでなく、皮膚の中にある骨に近い組織が傷ついている場合がある。
【０００４】
自分で体位変換ができず長期間寝たきりで、栄養状態が悪い、皮膚が弱くなっている（高齢者、排泄物や汗により皮膚のふやけがある、むくみが強い、抗がん剤やステロイドなど薬の副作用で免疫力が低くなっている）人が、圧迫だけでなく摩擦やずれなどの刺激が繰り返されている場合は褥瘡になりやすいといわれている。（日本褥瘡学会ＷＥＢサイトより引用）
【０００５】
また、上記寝たきりの高齢者は、自分でトイレにおいて排泄することができず、ほとんどの場合紙おむつ等を着用している。紙おむつ等は排泄物を吸収した後、できるだけ肌を濡らさないように設計されているが、長時間の使用においては十分とはいえない。よって褥瘡が発生しやすい環境となっている。
【０００６】
褥瘡の発生を抑制した吸収性物品として、例えば、特許文献１には、尿取りパッドであって、臀部領域の内面シート上にオーバーラップシートが接合され、オーバーラッシートと内面シートの間に低摩擦部材が設けられていることを特徴とする褥瘡予防機能付き使い捨て尿取りパッドが開示されている。
また、特許文献２には、液不透過性のシート材に、その一方の表面から他方の表面に液体を通過させるための複数の通液孔が形成された通液性シート材と、この通液性シート材の一方の表面における外周部分に配設された粘着層とを備え、通液性シート材の一方の表面が患部である褥瘡部位に密着するように、通液性シート材を褥瘡部位に貼り付けて使用する褥瘡用シートが開示されている。
【先行技術文献】
【特許文献】
【０００７】
【特許文献１】特開２０１４−１５５６０９号公報
【特許文献２】特開２００７−９７９１１号公報
【発明の概要】
【発明が解決しようとする課題】
【０００８】
しかし、特許文献１及び２のいずれも、装着して寝ている状態で臀部に体圧がかかった場合、吸収性物品が体圧を緩和するように考慮されておらず、結果として、圧迫による褥瘡の発生を適切に予防することはできない。また、吸収性物品に体圧がかかった場合、吸収性物品に吸収されていた液体が漏れ出し、肌に逆戻りすることで、肌が浸潤し、褥瘡の発生につながるおそれがある。
【０００９】
したがって、本発明は、上記の課題に鑑みてなされたものであり、おむつを常時使用する寝たきりの高齢者に対して、臀部等体圧がかかる部分に載置して、体圧による圧迫を緩和することによって、褥瘡を適切に予防することができ、かつ、液体の肌への逆戻りを効果的に防止する、柔軟性及び弾力性に優れた、簡易な構成である褥瘡予防用の使い捨て補助パッドを提供することを目的とする。
【課題を解決するための手段】
【００１０】
本発明の発明者らは、上記課題に鑑み、鋭意研究を行った。その結果、トウからなる繊維集合体を含有する中間層の上部、下部及び四方を液透過性の親水性不織布で覆ったパッド形状に形成し、中間層のトップシート側及び中間層のバックシート側の双方に開孔フィルムを設け、かつ、圧縮弾力性を所定範囲とすることで上記課題を解決することを見出し、本発明を完成するに至った。具体的には、本発明は、以下のものを提供する。
【００１１】
（１）本発明の第１の態様は、液透過性のトップシートと、液透過性のバックシートと、前記トップシート及び前記バックシートの間に配置される中間層とを有し、前記トップシートと前記中間層の間に第１開孔フィルムが配置され、前記バックシートと前記中間層の間に第２開孔フィルムが配置された、褥瘡予防用の使い捨て補助パッドであって、前記中間層は、トウからなる繊維集合体を含有し、前記トウからなる繊維集合体の坪量は、２０ｇ／ｍ２以上１００ｇ／ｍ２以下であり、前記褥瘡予防用の使い捨て補助パッドの、ハンディ圧縮試験機ＫＥＳ−Ｇ５（カトーテック株式会社製）による、圧縮硬さＬＣが４.０以上８.０以下であり、圧縮仕事量ＷＣが１２０ｇｆ・ｃｍ／ｃｍ２以上２００ｇｆ・ｃｍ／ｃｍ２以下であり、圧縮率が１５％以上３５％以下であり、かつ、圧縮回復性ＲＣが３０％以上７０％以下であることを特徴とする、褥瘡予防用の使い捨て補助パッドである。
【００１２】
（２）本発明の第２の態様は、（１）に記載の褥瘡予防用の使い捨て補助パッドであって、前記第１開孔フィルム及び前記第２開孔フィルムはいずれも、厚み方向で一方の面の開孔径が小さく、他方の面の開孔径が大きい開孔が施され、前記第１開孔フィルムは、開孔径の大きい側の開孔が前記トップシート側を向くように配置され、前記第２開孔フィルムは、開孔径の小さい側の開孔が前記バックシート側を向くように配置されていることを特徴とするものである。
【００１３】
（３）本発明の第３の態様は、（１）又は（２）に記載の褥瘡予防用の使い捨て補助パッドであって、前記第１開孔フィルム及び前記第２開孔フィルムはいずれも、開孔径が０．３ｍｍ以上１．５ｍｍ以下であり、開孔の数が５０個／ｃｍ２以上であることを特徴とするものである。
【００１４】
（４）本発明の第４の態様は、（１）から（３）のいずれかに記載の褥瘡予防用の使い捨て補助パッドであって、前記第１開孔フィルム及び前記第２開孔フィルムはいずれも、前記開孔径が大きい一方の面の開孔径と、前記開孔径が小さい他方の面の開孔径の差が、０．０３ｍｍ以上０．１５ｍｍ以下であることを特徴とするものである。
【００１５】
（５）本発明の第５の態様は、（１）から（４）のいずれかに記載の褥瘡予防用の使い捨て補助パッドであって、前記トウからなる繊維集合体の構成繊維が、セルロースアセテートの繊維であることを特徴とするものである。
【発明の効果】
【００１６】
（６）本発明の第６の態様は、（１）から（５）のいずれかに記載の褥瘡予防用の使い捨て補助パッドであって、前記トップシート及び前記バックシートが、親水性サーマルボンド不織布又は親水性スパンボンド不織布であることを特徴とするものである。
【００１７】
（７）本発明の第７の態様は、（１）から（６）のいずれかに記載の褥瘡予防用の使い捨て補助パッドであって、前記中間層は、さらに、高吸収性ポリマーを含有し、前記高吸収性ポリマーの坪量は、前記トウからなる繊維集合体の坪量に対して、１．０倍以下であり、前記高吸収性ポリマーの、前記トウからなる繊維集合体への担持率は、７０％以上であることを特徴とするものである。
【００１８】
（８）本発明の第８の態様は、（７）に記載の褥瘡予防用の使い捨て補助パッドであって、前記中間層において、前記トウからなる繊維集合体及び前記高吸収性ポリマーがほぼ均一に混合されていることを特徴とするものである。
【００１９】
したがって、本発明によれば、おむつを常時使用する寝たきりの高齢者に対して、臀部等体圧がかかる部分に載置して、体圧による圧迫を緩和することによって、褥瘡を適切に予防することができ、かつ、液体の肌への逆戻りを効果的に防止する、柔軟性及び弾力性に優れた褥瘡予防用の使い捨て補助パッドが得られる。
【図面の簡単な説明】
【００２０】
【図１】本発明の褥瘡予防用の使い捨て補助パッドの平面図である。
【図２】図１のＸ１−Ｘ１断面図である。
【図３】本発明の第１開孔フィルム及び第２開孔フィルムの断面図である。
【図４】高吸収性ポリマーの、トウからなる繊維集合体への担持率を測定する方法を説明するための図である。
【発明を実施するための形態】
【００２１】
以下、添付図面を参照して、本発明を実施するための形態（以下、実施形態）について詳細に説明する。なお、実施形態の説明の全体を通して同じ要素には同じ符号を付する。
【００２２】
＜褥瘡予防用の使い捨て補助パッド＞
本発明の実施形態に係る褥瘡予防用の使い捨て補助パッド１としては、アウターの紙おむつ等の上に載置して用いる、褥瘡予防用の使い捨て補助パッドが例示されるが、本発明の褥瘡予防用の使い捨て補助パッド１はこれに限定されるものではなく、軽失禁パッド、尿取りパッド、その他の吸収性パッドであってもよい。
本発明の褥瘡予防用の使い捨て補助パッド１は、図１及び２に示すように、身体側表面に配置された液透過性のトップシート１０と、トップシート１０に対向し、衣類側表面に配置された液透過性のバックシート２０と、トップシート１０及びバックシート２０の間に配置された中間層３０と、トップシート１０と中間層３０の間に配置された第１開孔フィルム４０と、バックシート２０と中間層３０の間に配置された第２開孔フィルム５０と、を備える。これにより、中間層３０は、第１開孔フィルム４０と第２開孔フィルム５０との間に挟まれた構造となっている。
本明細書の説明において、褥瘡予防用の使い捨て補助パッド１の長手方向とは、褥瘡予防用の使い捨て補助パッド１が着用されたときに着用者の前後に亘る方向であり、図中、符号Ｙで示す方向である。また、褥瘡予防用の使い捨て補助パッド１の幅方向とは、長手方向に対して横又は直交する方向であり、図中、符号Ｘで示す方向である。さらに、本明細書の説明において、身体側表面とは、各部材の表裏両面のうち、着用時に着用者の肌側に配される面を指し、衣類側表面とは、各部材の表裏両面のうち、着用時に着用者の肌側とは反対側に向けられる面を指す。
【００２３】
褥瘡予防用の使い捨て補助パッド１の形状は、製造上及び当て易さの観点から、矩形が好ましい。また、褥瘡予防用の使い捨て補助パッド１の、長手方向の寸法は８０ｍｍ以上２００ｍｍ以下、幅方向の寸法は６０ｍｍ以上１６０ｍｍ以下、であることが好ましい。褥瘡予防用の使い捨て補助パッド１の寸法を上記の形状及び範囲に調整することにより、褥瘡の予防に適した褥瘡予防用の使い捨て補助パッド１を得ることができる。
【００２４】
また、中間層３０が褥瘡予防用の使い捨て補助パッド１から漏れ出るのを防ぐために、例えば、衣類側から、バックシート２０、中間層３０、トップシート１０の順に積層し、トップシート１０とバックシート２０とを一部又は全周に亘ってホットメルト接着剤やヒートエンボス、超音波エンボス、高周波エンボス等を用いて固定し、封止部６０とすることもできる。
【００２５】
（トップシート）
トップシート１０は、中間層３０に向けて液体を速やかに通過させるものであり、中間層３０を挟んで、バックシート２０に対向して配置される。トップシート１０は、肌と当接するシートとなることから、柔らかな感触で、肌に刺激を与えないような性質を有する、親水性エアスルー不織布を代表とする親水性サーマルボンド不織布、親水性スパンボンド不織布等の親水性不織布、サーマルボンド／スパンボンドを積層した複合不織布、開口ポリエチレンフィルム等の開口性フィルム、ウレタンフォーム等の発泡フィルム又はこれらを積層した複合シートから形成され、これらの中でも、嵩高さを得やすく、柔軟性に優れた親水性サーマルボンド不織布又は親水性スパンボンド不織布を用いることが好ましい。
なお、トップシート１０は、単層であっても、複数層積層していてもよく、ドライタッチ性を付与するために多数の透孔が形成されていてもよい。
【００２６】
トップシート１０の坪量は、加工性及び強度の点から、１３ｇ／ｍ２以上４０ｇ／ｍ２以下であることが好ましい。トップシート１０には、肌への刺激を低減させるために、ローション、酸化防止剤、抗炎症成分、ｐＨ調整剤、抗菌剤、保湿剤等を塗布してもよい。
【００２７】
（バックシート）
本発明に用いるバックシート２０としては、通常の吸収性物品では、液不透過性を有し、かつ、遮水性を有するシート材が用いられるが、本発明は褥瘡予防用の使い捨て補助パッド１であり、紙おむつの上に載置して用いるため、バックシート２０も液透過性である。バックシート２０も液透過性であることにより、尿などの液体がトップシート側から通過したときに、後述するように中間層３０は液体を吸収せず、液体はそのままバックシート２０を通過して、アウターの紙おむつ等に移行するため、ウエットバックに悪影響を及ぼすことが抑制される。
このような特性を有するバックシート２０の材料としては、上記に挙げたような材料を挙げることができるが、上記のトップシート１０同様に、親水性サーマルボンド不織布又は親水性スパンボンド不織布を用いることが好ましい。なお、バックシート２０の坪量は、加工性及び強度の点から、１３ｇ／ｍ２以上４０ｇ／ｍ２以下であることが好ましい。
【００２８】
（中間層）
本発明の褥瘡予防用の使い捨て補助パッド１に用いる中間層３０は、図２に示すようにトップシート１０と、バックシート２０との間に位置する。
そして、中間層３０は、トウからなる繊維集合体を含有している。トウからなる繊維集合体の構成繊維としては、綿等に由来する天然セルロース、レーヨン等の再生セルロース、セルロースアセテート、ポリエチレン、ポリプロピレン、ＰＥＴ等を用いることができ、これらの中でも、綿等に由来する天然セルロース、レーヨン等の再生セルロース、セルロースアセテートを用いることが好ましく、嵩高さを得やすく、中間層３０に柔軟性及び弾力性を付与できる、セルロースアセテートを用いることがより好ましい。
【００２９】
また、トウからなる繊維集合体に用いるセルロースアセテートのアセチル基の置換度は、２．０以上３．０以下が好ましい。アセチル基の置換度が２．０未満だと、中間層３０の親水性が強すぎてウエットバックに対して好ましくない。
【００３０】
また、トウからなる繊維集合体において、繊維間の絡みが弱いため、絡みを融着して固定させる目的で、バインダーを用いることが好ましい。バインダーとしては、トリアセチン等を用いることができる。
【００３１】
トウからなる繊維集合体の坪量は、２０ｇ／ｍ２以上１００ｇ／ｍ２以下である。トウからなる繊維集合体の坪量が上記の範囲であることにより、柔軟性及び弾力性に優れる中間層３０及び褥瘡予防用の使い捨て補助パッド１を得ることができる。トウからなる繊維集合体の坪量が１００ｇ／ｍ２を超えると、中間層３０の厚みを薄くする際の圧縮の度合いが大きくなり、トウからなる繊維集合体の本来の柔軟性及び弾力性が損なわれるため好ましくない。
【００３２】
なお、従来の吸収性物品に含まれる中間層は、液体を吸収し保持する高吸収性ポリマーが含まれているが、本発明の褥瘡予防用の使い捨て補助パッド１では、中間層３０が高吸収性ポリマーを含まないことが好ましい。その理由として、トウからなる繊維集合体と高吸収性ポリマーを混合して中間層３０を作製すると、褥瘡予防用の使い捨て補助パッド１を使用したときに、高吸収性ポリマーがトウからなる繊維集合体より脱落して、後述する第２開孔フィルム５０の開孔を塞いでしまい、アウターの紙おむつ等への液体の移行を阻害することが考えられるからである。
【００３３】
＜開孔フィルム＞
本発明においては、トップシート１０と中間層３０との間に、複数の漏斗状の開孔を有する第１開孔フィルム４０が配置され、バックシート２０と中間層３０の間に、同じく複数の漏斗状の開孔を有する第２開孔フィルム５０が配置されている。
第１開孔フィルム４０及び第２開孔フィルム５０は、液体が中間層３０へと移動するような液透過性、液拡散性を備えていることが好ましく、第１開孔フィルム４０及び第２開孔フィルム５０の形状としては特に制限はないが、強度、加工性の点から、第１開孔フィルム４０及び第２開孔フィルム５０の坪量は、１５ｇ／ｍ２以上４５ｇ／ｍ２以下であることが好ましく、２０ｇ／ｍ２以上３０ｇ／ｍ２以下がより好ましい。また、液透過性の点から、開孔の数は５０個／ｃｍ２以上が好ましい。さらに、液拡散性の点で、開孔径は０．３ｍｍ以上１．５ｍｍ以下が好ましく、０．５ｍｍ以上１．０ｍｍ以下がより好ましい。第１開孔フィルム４０及び第２開孔フィルム５０の開孔の数、開孔径及び坪量を上記の範囲とすることにより、強度及び加工性の点で優れ、液透過性や液拡散性に優れた第１開孔フィルム４０及び第２開孔フィルム５０が得られる。なお、第１開孔フィルム４０及び第２開孔フィルム５０の材質は、例えば、ポリエチレンといった材料から形成される。
【００３４】
また、第１開孔フィルム４０及び第２開孔フィルム５０は、図３に示すように、開孔径が厚み方向で均一ではなく、厚み方向で一方の面の開孔径Ｌ１は小さく、他方の面の開孔径Ｌ２が大きいという開孔が施されている。これにより、肌側から吸収した液体が肌側に戻ること、すなわち液戻りが抑制されることになる。
従来の吸収性物品に用いられている開孔フィルムは、漏斗の開孔径の小さい方、すなわち開孔径Ｌ１の側の開孔が中間層側を向くように配置されているが、本発明の第１開孔フィルム４０及び第２開孔フィルム５０は、第１開孔フィルム４０は従来通りに開孔径Ｌ１の側の開孔が中間層３０側を向くように配置されているものの、第２開孔フィルム５０は裏表が逆となり、開孔径Ｌ２の側の開孔が中間層３０側を向くように配置されている。これにより、尿が褥瘡予防用の使い捨て補助パッド１の中に留まらず、貫通して下の紙おむつ側に流れるため、肌が浸潤するのを防ぎ、褥瘡を予防することができる。また、液拡散性の点から、開孔径が大きい一方の面の開孔径Ｌ２と、開孔径が小さい他方の面の開孔径Ｌ１の差が、０．０３ｍｍ以上０．１５ｍｍ以下であることが好ましい。
【００３５】
（圧縮硬さＬＣ、圧縮仕事量ＷＣ、圧縮率及び圧縮回復性ＲＣ）
褥瘡予防用の使い捨て補助パッド１の、ハンディ圧縮試験機ＫＥＳ−Ｇ５（カトーテック株式会社製）による、圧縮硬さＬＣが４．０以上８．０以下であり、４．０以上６．０以下であることが好ましい。褥瘡予防用の使い捨て補助パッド１の圧縮硬さＬＣを上記の範囲に調整することにより、良好な柔軟性を有する褥瘡予防用の使い捨て補助パッド１を得ることができる。なお、圧縮硬さＬＣは、値が１に近いほど圧縮されたときに硬くなることを示す。
【００３６】
褥瘡予防用の使い捨て補助パッド１の、ハンディ圧縮試験機ＫＥＳ−Ｇ５による、圧縮仕事量ＷＣが１２０ｇｆ・ｃｍ／ｃｍ２以上２００ｇｆ・ｃｍ／ｃｍ２以下であり、１３０ｇｆ・ｃｍ／ｃｍ２以上１８０ｇｆ・ｃｍ／ｃｍ２以下であることが好ましい。褥瘡予防用の使い捨て補助パッド１の圧縮仕事量ＷＣを上記の範囲に調整することにより、良好な柔軟性を有する褥瘡予防用の使い捨て補助パッド１を得ることができる。なお、圧縮仕事量ＷＣは、数値が高いほど圧縮されやすいことを示す。
【００３７】
褥瘡予防用の使い捨て補助パッド１の、ハンディ圧縮試験機ＫＥＳ−Ｇ５による、圧縮率が１５％以上３５％以下であり、２０％以上３０％以下であることが好ましい。褥瘡予防用の使い捨て補助パッド１の圧縮率を上記の範囲に調整することにより、良好な柔軟性を有する褥瘡予防用の使い捨て補助パッド１を得ることができる。なお、圧縮率（％）は、元の大きさに対してどれほど縮むかを示すもので、数値が高いほど圧縮されやすいことを意味する。
【００３８】
また、褥瘡予防用の使い捨て補助パッド１の、ハンディ圧縮試験機ＫＥＳ−Ｇ５による、圧縮回復性ＲＣが３０％以上７０％以下であり、４０％以上６０％以下であることが好ましい。褥瘡予防用の使い捨て補助パッド１の圧縮回復性ＲＣを上記の範囲に調整することにより、適度な弾力性を持ち、体圧を緩和させることが可能な褥瘡予防用の使い捨て補助パッド１を得ることができる。なお、圧縮回復性ＲＣ（％）は、圧縮に対する弾性を示すもので、数値が高いほど圧縮に対する反発性を有することを意味する。
【００３９】
褥瘡予防用の使い捨て補助パッド１の、ハンディ圧縮試験機ＫＥＳ−Ｇ５による、圧縮硬さＬＣ、圧縮仕事量ＷＣ、圧縮率及び圧縮回復性ＲＣの測定方法は、以下のとおりである。まず、試験台に褥瘡予防用の使い捨て補助パッド１を置き、面積２ｃｍ２の円形平面を持つ銅製の加圧子を試料上方から、速度１．０ｃｍ／秒、最大圧縮応力５０ｇｆ／ｃｍ２の条件で試料に押し込み圧縮する。測定データをもとに数値処理により圧縮硬さＬＣ、圧縮仕事量ＷＣ、圧縮率及び圧縮回復性ＲＣを算出した。
【００４０】
（高吸収性ポリマー）
上記のとおり、本発明の褥瘡予防用の使い捨て補助パッド１の中間層３０は、高吸収性ポリマーを含まないことが好ましいが、少量の高吸収性ポリマーであれば含むこともできる。理由として、少量の高吸収性ポリマーであれば、トウからなる繊維集合体から脱落しないため、中間層３０の一定の吸収性能が確保されることになるからである。
中間層３０が高吸収性ポリマーを含む場合、トウからなる繊維集合体と、高吸収性ポリマーは、ほぼ均一に混合されていることが好ましい。トウからなる繊維集合体は柔軟性及び弾力性に優れるという利点があり、トウからなる繊維集合体と高吸収性ポリマーがほぼ均一に混合されていることにより、全体が柔軟性及び弾力性に優れる中間層３０及び褥瘡予防用の使い捨て補助パッド１を得ることができる。
【００４１】
中間層３０が高吸収性ポリマーを含む場合、高吸収性ポリマーの坪量は、１０ｇ／ｍ２以上１００ｇ／ｍ２以下が好ましく、２０ｇ／ｍ２以上６０ｇ／ｍ２以下であることがより好ましく、高吸収性ポリマーの坪量は、トウからなる繊維集合体の坪量に対して、１．０倍以下であることが好ましい。これにより、必要な吸収量を確保できるとともに、トウからなる繊維集合体が高吸収性ポリマーを良好に担持することができ、柔軟性及び弾力性に優れる中間層３０及び褥瘡予防用の使い捨て補助パッド１を得ることができる。
【００４２】
また、中間層３０が高吸収性ポリマーを含む場合、高吸収性ポリマーの、トウからなる繊維集合体への担持率は、７０％以上であることが好ましく、８０％以上であることがより好ましく、９０％以上であることが更に好ましい。これにより、トウからなる繊維集合体が高吸収性ポリマーを良好に担持することができ、柔軟性及び弾力性に優れる中間層３０及び褥瘡予防用の使い捨て補助パッド１を得ることができる。以下、高吸収性ポリマーの、トウからなる繊維集合体への担持率の測定方法について、図４を用いて説明する。
【００４３】
（１）まず、中間層３０を作製する前の、トウからなる繊維集合体に高吸収性ポリマーを担持したシート（縦３７０ｍｍ、横１１０ｍｍ）と試験後に脱落する高吸収性ポリマーを回収する容器を用意する。
（２）当該シートの縦方向の他方端部が下になるように、縦方向の一方端部の横方向両端部（図４における符号ａ）を把持する。このとき、当該シートの縦方向の他方端部が、上記容器の底面から約３０ｃｍの位置となるように調整する。
（３）その後、下方向（図４におけるｂの矢印の方向）に約５ｃｍ変位させ、元の位置に戻す、という振るい操作を連続的に往復２０回行う。
（４）容器に脱落した高吸収性ポリマーの重量を測定し、{（振るい前の上記シートに担持させた高吸収性ポリマーの重量−脱落した高吸収性ポリマーの重量）／振るい前の上記シートに担持させた高吸収性ポリマーの重量}×１００の式で算出される数値を、高吸収性ポリマーの、トウからなる繊維集合体への担持率（％）とする。
【００４４】
＜褥瘡予防用の使い捨て補助パッド１の製造方法＞
褥瘡予防用の使い捨て補助パッド１の製造方法としては、特に限定はなく、従来公知の方法を採用することができ、例えば、衣類側から、バックシート２０、第２開孔フィルム５０、中間層３０、第１開孔フィルム４０、トップシート１０の順に積層し、トップシート１０とバックシート２０とを一部又は全周に亘ってホットメルト接着剤やヒートエンボス、超音波エンボス、高周波エンボス等を用いて固定し、封止部６０とすることで製造することができる。
【００４５】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４６】
１      褥瘡予防用の使い捨て補助パッド
１０    トップシート
２０    バックシート
３０    中間層
４０    第１開孔フィルム
５０    第２開孔フィルム
６０    封止部
【図１】
2020065853.tif 000003
【図２】
2020065853.tif 000004
【図３】
2020065853.tif 000005
【図４】
2020065853.tif 000006